(57)【要約】【課題】蛍光ランプを破損することなく容易に蛍光ランプを着脱することができる照明器具を提供する。【解決手段】一方の口金部２２のランプピン２３を一方のソケット３０に挿入し、ソケット３０を軸方向に付勢する弾性部材３２の付勢力により、他方の口金部２２のランプピン２３を他方のソケット３０に挿入することができるので、蛍光ランプ２０の着脱の際に、発光管２１に対して軸方向と直交する方向の外力が作用しない。このため、蛍光ランプ２０を破損することなく容易に蛍光ランプ２０を着脱することができる。また、ランプピン２３が蛍光ランプ２０のランプ軸Ｌ１上よりもソケット側へずれているので、従来の両端に設けられている口金部から外側へ突出してランプピンが設けられている蛍光ランプ用のソケットを用いて、両端まで発光する蛍光ラン２０を使用することができる。【選択図】図１
2010108643.tif 000002
【特許請求の範囲】
【請求項１】
直管の発光管の両端部付近の外周面に設けられた各口金部から当該発光管の軸方向に突出して設けられた一対のランプピンを有する蛍光ランプと、
前記軸方向に移動可能に設けられ前記ランプピンを保持して電力を供給する受金部を前記軸方向に付勢する弾性部材が設けられた一対のソケットと、
を有する照明器具であって、
前記ランプピンは前記蛍光ランプのランプ軸上よりソケット側へずれて配置され、
前記蛍光ランプの装着時には、一方の前記口金部の前記ランプピンが一方の前記ソケットに挿入された後、前記弾性部材の付勢力により、他方の前記口金部の前記ランプピンを他方の前記ソケットに挿入可能であることを特徴とする照明器具。
【請求項２】
全ての前記ランプピンを同一方向に突出して設けるとともに一対の前記ソケットを同一方向に設け、一対の前記ソケットに設けられている前記受金部の間隔を、前記口金部における前記ランプピンが取付けられている口金面の間隔と同じにしたことを特徴とする請求項１記載の照明器具。
【発明の詳細な説明】
【技術分野】
【０００１】
本発明は、直管蛍光ランプを用いた照明器具に関するものである。
【背景技術】
【０００２】
従来より、直管の蛍光管の軸方向に対して直交する方向へ突出して設けられた一対のランプピンを有する蛍光ランプが用いられている照明器具が提案されている（例えば特許文献１参照）。
【０００３】
図７（Ａ）に示すように、蛍光ランプ１００は、棒状の蛍光管１０１の周面すなわち主発光面に口金部１０２が取り付けられている。口金部１０２は、主発光面に固着された口金部本体１０３と、口金部本体１０３上に主発光面に対して直交方向（下方）に立設された２本のランプピン１０４を備えている。
【０００４】
また、口金部本体１０３は、ランプピン１０４と略平行に延びる係止用突出部１０５を有している。図７（Ｂ）に示すように、係止用突出部１０５は、下端に略円柱状の頭部１０６と、頭部１０６の上方に連接する首部１０７を有している。
【０００５】
従って、上述した蛍光ランプ１００をソケットに取り付けるには、先ず、蛍光ランプ１００の係止用突出部１０５の頭部１０６を、ソケットの弾性部材からなる保持部により保持するとともに、ランプピン１０４をソケットのスロットに挿入する。
また、蛍光ランプ１００を逆方向に引き抜くことにより、蛍光ランプ１００を取り外すことができる。
【特許文献１】特開２００８−１１７６８２号公報（第１図）
【発明の開示】
【発明が解決しようとする課題】
【０００６】
しかしながら、前述したような照明器具においては、ランプピン１０４をソケットに押し込むとともに、弾性部材により蛍光ランプ１００の口金部１０２を保持しており、蛍光ランプ１００の落下を防止するために、弾性部材によってしっかりと口金部１０２を保持している。
【０００７】
このため、蛍光ランプ１００を取り外す際には、ある程度大きな力で引き抜くことが必要となり、発光管の中央部を引っ張る等、力を加える場所が適正でないと、蛍光ランプを破損してしまうおそれがあるという問題があった。
また、断面が小さな照明器具の場合、口金部周辺に十分な作業スペースが取れないため、蛍光ランプを外すのが困難であるという問題があった。
【０００８】
本発明は、従来の問題を解決するためになされたもので、蛍光ランプを破損することなく容易に蛍光ランプを着脱することができる照明器具を提供することを目的とする。
【課題を解決するための手段】
【０００９】
本発明の照明器具は、直管の発光管の両端部付近の外周面に設けられた各口金部から当該発光管の軸方向に突出して設けられた一対のランプピンを有する蛍光ランプと、前記軸方向に移動可能に設けられ前記ランプピンを保持して電力を供給する受金部を前記軸方向に付勢する弾性部材が設けられた一対のソケットと、を有する照明器具であって、前記ランプピンは前記蛍光ランプのランプ軸上よりソケット側へずれて配置され、前記蛍光ランプの装着時には、一方の前記口金部の前記ランプピンが一方の前記ソケットに挿入された後、前記弾性部材の付勢力により、他方の前記口金部の前記ランプピンを他方の前記ソケットに挿入可能である構成を有している。
【００１０】
この構成により、一方の口金部のランプピンを一方のソケットに挿入し、ソケットを軸方向に付勢する弾性部材の付勢力により、他方の口金部のランプピンを他方のソケットに挿入できるようにしたので、蛍光ランプの着脱の際に、発光管に対して軸方向と直交する方向の外力が作用しない。このため、蛍光ランプを破損することなく容易に蛍光ランプを着脱することができる。
また、ランプピンが蛍光ランプのランプ軸上よりもソケット側へずれているので、従来の両端に設けられている口金部から外側へ突出してランプピンが設けられている蛍光ランプ用のソケットを用いて、両端まで発光する蛍光ランプを使用することができる。
【００１１】
また、全ての前記ランプピンを同一方向に突出して設けるとともに一対の前記ソケットを同一方向に設け、一対の前記ソケットに設けられている前記受金部の間隔を、前記口金部における前記ランプピンが取付けられている口金面の間隔と同じにした構成を有している。
【００１２】
この構成により、発光管の両端付近に設けられている口金部から、同一方向に突出してランプピンが設けられているので、蛍光ランプを装着する際に、ランプピンをソケットに対して一方向から差し込むことにより蛍光ランプを取付けることができるので、蛍光ランプの着脱が容易になる。
【発明の効果】
【００１３】
本発明は、一方の口金部のランプピンを一方のソケットに挿入し、ソケットを軸方向に付勢する弾性部材の付勢力により、他方の口金部のランプピンを他方のソケットに挿入できるようにしたので、蛍光ランプの着脱の際に、発光管に対して軸方向と直交する方向の外力が作用しない。このため、蛍光ランプを破損することなく容易に蛍光ランプを着脱することができるという効果を有する照明器具を提供することができるものである。
【発明を実施するための最良の形態】
【００１４】
以下、本発明の実施の形態の照明器具について、図面を用いて説明する。
【００１５】
（第１実施形態）
図１（Ａ）〜（Ｃ）は本発明の第１実施形態にかかる照明器具において蛍光ランプを装着する工程を示す側面図、図２（Ａ）〜（Ｃ）は本発明の第１実施形態にかかる照明器具において蛍光ランプを装着する工程を示す斜視図である。
【００１６】
図１および図２に示すように、第１実施形態にかかる照明器具１０は、照明器具本体１１に所定間隔で設けられている一対のソケット３０、３０の間に、蛍光ランプ２０を装着するものである。
【００１７】
蛍光ランプ２０は、直管の発光管２１の両端部付近の外周面に各々口金部２２が設けられ、各口金部２２から発光管２１の軸方向に（ここでは、軸方向中心側に向かって）突出して一対のランプピン２３、２３が設けられている。
図１および図２においては、一対のランプピン２３，２３は、発光管２１の径方向に直交する方向に並んで設けられている。ランプピン２３は、蛍光ランプ２０のランプ軸Ｌ１上よりソケット側である上方へずれて配置されている。
【００１８】
ソケット３０には、ランプピン２３を保持して電力を供給する受金部３１が、軸方向に移動可能に設けられており、受金部３１を軸方向（ここでは、軸方向外向き）に付勢する弾性部材３２が設けられている。
【００１９】
次に、蛍光ランプ２０を器具本体１１に取付ける動作について説明する。
図１（Ａ）および図２（Ａ）に示すように、蛍光ランプ２０の装着前は、各ソケット３０の受金部３１は弾性部材３２の付勢力により、軸方向外側へ突出している。従って、この状態では、左右のランプピン２３の間隔は、左右の受金部３１の表面（外側面）の間隔よりも小さい。
【００２０】
蛍光ランプ２０を装着する際には、まず、図１（Ｂ）および図２（Ｂ）に示すように、一方（ここでは右側）の口金部２２のランプピン２３を、右側のソケット３０の受金部３１に右側から挿入する。その後、蛍光ランプ２０を軸方向左側へ移動させて右の受金部３１を弾性部材３２の付勢力に抗してソケット３０内部に押し込み、左のランプピン２３の先端が左の受金部３１の外側面よりも左に位置するように位置決めする。
【００２１】
次いで、図１（Ｃ）および図２（Ｃ）に示すように、蛍光ランプ２０を軸方向右側へ移動させて、左のランプピン２３を左の受金部３１に挿入する。その後、蛍光ランプ２０から手を放すと、左右のソケット３０の弾性部材３２の反発力により左右の受金部３１が軸方向外側へ突出して、ランプピン２３を保持する。
【００２２】
以上、説明した第１実施形態にかかる照明器具１０によれば、右の口金部２２のランプピン２３を右のソケット３０の口金部３１に挿入した後、弾性部材３２の付勢力により、左のランプピン２３を左のソケット３０に挿入するので、蛍光ランプ２０の着脱の際に、発光管２１に対して軸方向と直交する方向の外力が作用しない。このため、蛍光ランプ２０を破損することなく容易に蛍光ランプ２０を着脱することができる。
また、ランプピン２３が蛍光ランプ２０のランプ軸Ｌ１上よりもソケット側へずれているので、従来の両端に設けられている口金部２２から外側へ突出してランプピン２３が設けられている蛍光ランプ用のソケットを用いて、両端まで発光する蛍光ランプを使用することができる。
【００２３】
（第２実施形態）
次に、第２実施形態にかかる照明器具について説明する。
図３（Ａ）〜（Ｃ）は本発明の第２実施形態にかかる照明器具において蛍光ランプを装着する工程を示す斜視図である。なお、前述した第１実施形態にかかる照明器具と共通する部位には同じ符号を付して、重複する説明を省略することとする。
【００２４】
図３（Ａ）〜（Ｃ）に示すように、第２実施形態にかかる照明器具１０Ｂでは、口金部２２に設けるランプピン２３Ｂの突出方向を第１実施形態におけるランプピン２３の突出方向と逆向きにした。すなわち、ランプピン２３Ｂを軸方向外側へ向かって突出させた。これに伴い、ソケット３０Ｂの向きを逆にして、受金部３１Ｂが弾性部材３２によって軸方向内側へ付勢されるようにした。
【００２５】
次に、蛍光ランプ２０Ｂを器具本体１１に取付ける動作について説明する。
図３（Ａ）に示すように、蛍光ランプ２０Ｂの装着前は、各ソケット３０Ｂの受金部３１Ｂは弾性部材３２の付勢力により、軸方向中心側へ突出している。従って、この状態では、左右のランプピン２３Ｂの間隔は、左右の受金部３１Ｂの表面（内側面）の間隔よりも大きい。
【００２６】
蛍光ランプ２０Ｂを装着する際には、まず、図３（Ｂ）に示すように、一方（ここでは左側）の口金部２２のランプピン２３を、左側のソケット３０Ｂの受金部３１Ｂに右側から挿入する。その後、蛍光ランプ２０Ｂを軸方向左側へ移動させて、左の受金部３１Ｂを弾性部材３２の付勢力に抗してソケット３０内部に押し込み、右のランプピン２３Ｂの先端が右の受金部３１Ｂの内側面よりも左に位置するように位置決めする。
【００２７】
次いで、図３（Ｃ）に示すように、蛍光ランプ２０Ｂを軸方向右側へ移動させて、右のランプピン２３Ｂを右の受金部３１Ｂに挿入する。その後、蛍光ランプ２０Ｂから手を放すと、左右のソケット３０Ｂの弾性部材３２の反発力により左右の受金部３１Ｂが軸方向中心側へ突出して、ランプピン２３Ｂを保持する。
【００２８】
以上、説明した第２実施形態にかかる照明器具１０Ｂによれば、前述した第１実施形態にかかる照明器具１０と同様の効果を得ることができる。
【００２９】
（第３実施形態）
次に、第３実施形態にかかる照明器具について説明する。
図４（Ａ）は本発明の第３実施形態にかかる照明器具において蛍光ランプを装着する前の状態を示す側面図、図４（Ｂ）は本発明の第３実施形態にかかる照明器具において蛍光ランプを装着した後の状態を示す側面図、図５（Ａ）は蛍光ランプを装着する前の状態を示す斜視図、図５（Ｂ）は蛍光ランプを装着した後の状態を示す斜視図である。なお、前述した第１実施形態および第２実施形態にかかる照明器具と共通する部位には同じ符号を付して、重複する説明を省略することとする。
【００３０】
図４および図５に示すように、第３実施形態にかかる照明器具１０Ｃでは、口金部２２に設けるランプピン２３Ｃの突出方向を全て同じ向きにした。すなわち、例えば、ランプピン２３Ｃを軸方向右向きに突出させた。これに伴い、左右のソケット３０Ｃの向きも同じにして、例えば、受金部３１Ｃが弾性部材３２によって軸方向左側へ付勢されるようにした。なお、受金部３１Ｃを付勢する弾性部材３２は、必ずしも設けなくても良い。
また、左右の口金部２２、２２においてランプピン２３Ｃが取付けられている口金面２４の間隔Ｄ１と、左右のソケット３０Ｃの受金部３１Ｃ，３１Ｃの間隔Ｄ２とを等しくした。  
【００３１】
次に、蛍光ランプ２０Ｂを器具本体１１に取付ける動作について説明する。
図４（Ａ）および図５（Ａ）に示すように、蛍光ランプ２０Ｃのランプピン２３Ｃを、ソケット３０Ｃの受金部３１の前方（ここでは左側）に位置決めする。
そして、蛍光ランプ２０Ｃを右側（図中矢印方向）へ移動させて、図４（Ｂ）および図５（Ｂ）に示すように、蛍光ランプ２０Ｃを装着する。
【００３２】
以上、説明した第３実施形態にかかる照明器具１０Ｃによれば、全てのランプピン２３Ｃが同一方向に突出して設けられているので、左右の口金部２２Ｃのランプピン２３Ｃを、ソケット３０Ｃの受金部３１Ｃに挿入するだけで容易に装着することができる。このため、蛍光ランプ２０Ｃの着脱の際に、発光管２１に対して軸方向と直交する方向の外力が作用しないので、蛍光ランプ２０Ｃを破損することなく容易に蛍光ランプ２０Ｃを着脱することができる。
【００３３】
なお、本発明の照明器具は、前述した各実施形態に限定されるものでなく、適宜な変形，改良等が可能である。
例えば、前述した各実施形態においては、一対のランプピン２３、２３を器具本体１１におけるソケット３０取付面に平行（横）に配置した場合について説明したが、図６（Ａ）〜（Ｃ）に示すように、一対のランプピン２３、２３を取付面に対して垂直（縦）に設けても、まったく同様の作用・効果を得ることができる。なお、図６（Ａ）は前述した第１実施形態の場合を示し、図６（Ｂ）は第２実施形態、図６（Ｃ）は第３実施形態に対応している。
【図面の簡単な説明】
【００３４】
【図１】（Ａ）〜（Ｃ）は本発明の第１実施形態にかかる照明器具において蛍光ランプを装着する工程を示す側面図
【図２】（Ａ）〜（Ｃ）は本発明の第１実施形態にかかる照明器具において蛍光ランプを装着する工程を示す斜視図
【図３】（Ａ）〜（Ｃ）は本発明の第２実施形態にかかる照明器具において蛍光ランプを装着する工程を示す斜視図
【図４】（Ａ）は本発明の第３実施形態にかかる照明器具において蛍光ランプを装着する前の状態を示す側面図、（Ｂ）は本発明の第３実施形態にかかる照明器具において蛍光ランプを装着した後の状態を示す側面図
【図５】（Ａ）は蛍光ランプを装着する前の状態を示す斜視図、（Ｂ）は蛍光ランプを装着した後の状態を示す斜視図
【図６】（Ａ）〜（Ｃ）はランプピンを発光管の径方向へ配置した場合を示す正面図および側面図
【図７】（Ａ）従来の照明器具の斜視図、（Ｂ）（Ａ）中Ｂ−Ｂ位置の断面図
【符号の説明】
【００３５】
１０  照明器具
２０  蛍光ランプ
２１  発光管
２２  口金部
２３  ランプピン
２４  口金面
３０  ソケット
３１  受金部
３２  弾性部材
Ｌ１  ランプ軸
Ｄ２  受金部の間隔
Ｄ１  口金部の間隔
【図１】
2010108643.tif 000003
【図２】
2010108643.tif 000004
【図３】
2010108643.tif 000005
【図４】
2010108643.tif 000006
【図５】
2010108643.tif 000007
【図６】
2010108643.tif 000008
【図７】
2010108643.tif 000009